(57)【要約】【課題】吸気マニホールドにおいて内部に凝縮水が溜まることに起因した性能低下を確実に防止する。【解決手段】吸気マニホールド１０を構成する吸気導入管１８の下流端に吸気チャンバ２０が接続され、前記吸気導入管１８の屈曲部２８に隣接するようにレゾネータ２４が設けられる。このレゾネータ２４の共鳴室４２は、共鳴用通路４４を介して吸気チャンバ２０と連通すると共に、その重力方向下方となる底部４６が幅方向中央に向かって下方へと傾斜し、吸気導入管１８の屈曲部２８と連通する連通路４８が形成される。そして、レゾネータ２４内に溜まった凝縮水が、底部４６から連通路４８を通じて吸気導入管１８へと流れ、屈曲部２８の下方へと突出した凸部３０内へと流入した後、ブローバイガスの導入されるガス導入管３６を通じて内燃機関１４側へと排出される。【選択図】図２
2019105220.tif 000002
【特許請求の範囲】
【請求項１】
多気筒を有した内燃機関の気筒列方向に沿って延在するチャンバ部と、前記気筒列方向に沿った一端側から延在し、前記チャンバ部側に向かって屈曲すると共に、その下流端が前記チャンバ部の前記気筒列方向に沿った略中央部に接続され上端部が吸気弁に接続される吸気導入部と、前記吸気導入部の前記チャンバ部との接続部位に対し、上流端が前記気筒列方向に沿った一方側及び他方側で前記チャンバ部に接続され、下流端が前記内燃機関へと接続される複数の分岐管とを有し、
前記吸気導入部と前記チャンバ部と前記分岐管とによって区画される前記他方側の空間に、前記チャンバ部に対して開口部を介して連通するレゾナンスチャンバ部が設けられると共に、前記内燃機関からのブローバイガスが、前記吸気導入部と連通したガス導入管を通じて該吸気導入部内へと供給される吸気マニホールドにおいて、
前記内燃機関に装着された状態において、前記レゾナンスチャンバ部における重力方向下方に開口し、前記チャンバ部側へと屈曲した前記吸気導入部の屈曲部と連通する連通路を備えることを特徴とする吸気マニホールド。
【請求項２】
請求項１記載の吸気マニホールドにおいて、
前記屈曲部には、前記重力方向下方へと突出した中空状の凸部が形成されることを特徴とする吸気マニホールド。
【請求項３】
請求項２記載の吸気マニホールドにおいて、
前記ガス導入管は、前記凸部に接続され連通することを特徴とする吸気マニホールド。
【請求項４】
請求項１〜３のいずれか１項に記載の吸気マニホールドにおいて、
前記レゾナンスチャンバ部において重力方向下方となる底壁は、前記気筒列方向における前記他方側に対して前記一方側が前記重力方向下方に位置するように形成され、前記連通路は前記底壁における前記一方側の端部に接続されることを特徴とする吸気マニホールド。
【請求項５】
請求項２又は３記載の吸気マニホールドにおいて、
前記吸気導入部において、前記凸部から前記吸気弁までの直線距離が、前記吸気導入部と前記チャンバ部との前記接続部位から前記凸部までの直線距離に対して長く設定されることを特徴とする吸気マニホールド。
【発明の詳細な説明】
【技術分野】
【０００１】
本発明は、内燃機関の複数のシリンダ室に吸入空気を供給するための吸気マニホールドに関する。
【背景技術】
【０００２】
本出願人は、多気筒の内燃機関に接続される吸気マニホールドにおいて、内部に溜まった凝縮水の前記内燃機関への流入を防止可能な構造を提案している（特許文献１参照）。この吸気マニホールドでは、吸気チャンバ内にチャンバ室が設けられると共に、該チャンバ室と隣接するレゾネータ内には共鳴室が設けられる。そして、チャンバ室と共鳴室とが吸気チャンバの底面に開口した共鳴連通路を介して連通している。
【０００３】
この共鳴連通路の開口は吸気チャンバの底面に位置し、吸気導入管における開口の下縁が共鳴連通路の開口よりも若干上方に位置すると共に、各分岐管における開口の下縁が共鳴連通路の開口下縁よりも上方に位置することで、吸気チャンバ内で発生した凝縮水が、共鳴連通路を通じてレゾネータへと流れ各分岐管へと流入することがない。
【先行技術文献】
【特許文献】
【０００４】
【特許文献１】特開２０１３−２４９８２３号公報
【発明の概要】
【発明が解決しようとする課題】
【０００５】
本発明は、前記の提案に関連してなされたものであり、内部に凝縮水が溜まることに起因した性能低下を確実に防止することが可能な吸気マニホールドを提供することを目的とする。
【課題を解決するための手段】
【０００６】
前記の目的を達成するために、本発明は、多気筒を有した内燃機関の気筒列方向に沿って延在するチャンバ部と、気筒列方向に沿った一端側から延在し、チャンバ部側に向かって屈曲すると共に、その下流端がチャンバ部の気筒列方向に沿った略中央部に接続され上端部が吸気弁に接続される吸気導入部と、吸気導入部のチャンバ部との接続部位に対し、上流端が気筒列方向に沿った一方側及び他方側でチャンバ部に接続され、下流端が内燃機関へと接続される複数の分岐管とを有し、
吸気導入部とチャンバ部と分岐管とによって区画される他方側の空間に、チャンバ部に対して開口部を介して連通するレゾナンスチャンバ部が設けられると共に、内燃機関からのブローバイガスが、吸気導入部と連通したガス導入管を通じて吸気導入部内へと供給される吸気マニホールドにおいて、
内燃機関に装着された状態において、レゾナンスチャンバ部における重力方向下方に開口し、チャンバ部側へと屈曲した吸気導入部の屈曲部と連通する連通路を備えることを特徴とする。
【０００７】
本発明によれば、吸気マニホールドが内燃機関に装着された状態において、内燃機関からガス導入管を通じて吸気導入部へとブローバイガスが供給される際、含有される水分が冷却され凝縮水となりレゾナンスチャンバ部へと流入することがある。
【０００８】
このような場合でも、レゾナンスチャンバ部における重力方向下方に開口し、チャンバ部側へと屈曲する吸気導入部の屈曲部と連通する連通路を備えることで、凝縮水が重力作用下にレゾナンスチャンバ部における下方へと移動し、開口した連通路を通じて吸気導入部の屈曲部側へと排出した後に、ガス導入管を通じて内燃機関側へと排出することができる。
【０００９】
その結果、レゾナンスチャンバ部から凝縮水を確実に排出することで、凝縮水が内部に溜まることによる容積変化が防止され、この容積変化に起因した吸気マニホールドの性能変化を確実に防止することができる。
【００１０】
また、屈曲部に、重力方向下方へと突出した中空状の凸部を形成することにより、吸気マニホールド内に導入されたブローバイガスに含まれる水分が凝縮水となり吸気導入部の内壁面に付着し重力作用下に下方へと移動した場合でも、屈曲部に対して重力方向下方へと突出した凸部内に移動して溜まることとなる。そのため、凝縮水が吸気導入部に溜まり続けることが防止され、吸気導入部へと導入された吸入空気が一端部側へと逆流する反転流の影響によって凝縮水が吸気弁側へと移動し付着してしまうことが抑制される。さらに、凸部を屈曲部に形成することで、屈曲部に沿って流れる空気によって凸部の凝縮水を下流側へと好適に攪拌させ蒸発させることが可能となる。
【００１１】
さらに、ガス導入管を、凸部に接続して連通させることにより、チャンバ部とガス導入管との距離を十分に確保することが可能となり、それに伴って、凸部に溜まった凝縮水及びガス導入管から供給されるブローバイガスをチャンバ部までの間において好適に拡散させることができ、チャンバ部から複数の分岐管へと均等に流すことができる。その結果、分岐管の下流側に設けられシリンダ室へ吸入空気を導入するインテークバルブへの燃焼生成物の付着が防止され、この付着に起因したデポジットの堆積や燃焼不良を防止することができる。
【００１２】
さらにまた、レゾナンスチャンバ部において重力方向下方となる底壁を、気筒列方向における他方側に対して一方側が重力方向下方に位置するように形成し、連通路を底壁における一方側の端部に接続するとよい。これにより、レゾナンスチャンバ部に付着した凝縮水を底壁に沿って一方側へと移動させ、その端部に接続された連通路へと効率的に導くことで吸気導入部の凸部へと排出でき、しかも、凸部にガス導入管が接続されているため、凝縮水を吸気導入部の底部に溜まらせることなく内燃機関側へと確実に排出することが可能となる。
【００１３】
またさらに、吸気導入部において、凸部から吸気弁までの直線距離を、吸気導入部とチャンバ部との接続部位から凸部までの直線距離に対して長く設定するとよい。これにより、凸部をチャンバ部から離間させ凝縮水を拡散可能な距離を確保すると同時に、吸気弁から凸部までの距離も十分に確保できるため、反転流によって凝縮水が吸気弁へと付着してしまうことが防止され、この付着に起因した吸気弁の動作不良を確実に防止できる。
【発明の効果】
【００１４】
本発明によれば、以下の効果が得られる。
【００１５】
すなわち、吸気マニホールドが内燃機関に装着された状態において、レゾナンスチャンバ部における重力方向下方に開口し、チャンバ部側へと屈曲する吸気導入部の屈曲部と連通する連通路を備えることで、内燃機関からガス導入管を通じて吸気導入部へ供給されるブローバイガス中の水分が凝縮水となりレゾナンスチャンバ部に進入した場合でも、重力作用下に下方へと移動した凝縮水を連通路を通じて吸気導入部の屈曲部側へと排出しガス導入管を通じて内燃機関側へと排出することができる。その結果、レゾナンスチャンバ部から凝縮水を確実に排出することで、その内部に凝縮水が溜まることによる容積変化が回避され、この容積変化に起因した吸気マニホールドの性能変化を確実に防止することができる。
【図面の簡単な説明】
【００１６】
【図１】本発明の実施の形態に係る吸気マニホールドの全体正面図である。
【図２】図１に示す吸気マニホールドの全体横断面図である。
【図３】図１のＩＩＩ−ＩＩＩ線に沿った断面図である。
【発明を実施するための形態】
【００１７】
本発明に係る吸気マニホールドについて好適な実施の形態を挙げ、添付の図面を参照しながら以下詳細に説明する。図１において、参照符号１０は、本発明の実施の形態に係る吸気マニホールドを示す。
【００１８】
この吸気マニホールド１０は、車両等に搭載される、例えば、複数のシリンダ室を有する多気筒の内燃機関１４（図３参照）に設けられている。なお、ここでは４気筒の内燃機関１４に用いられる吸気マニホールド１０について説明すると共に、気筒の並んだ気筒列方向を幅方向（図１及び図２中、矢印Ａ、Ｂ方向）として説明する。
【００１９】
吸気マニホールド１０は、図１〜図３に示されるように、例えば、樹脂性材料からなる第１〜第４分割体１２ａ〜１２ｄを構成要素としており、これら第１〜第４分割体１２ａ〜１２ｄが、吸気マニホールド１０の幅方向（矢印Ａ、Ｂ方向）と直交する奥行方向（図３中、矢印Ｃ方向）に沿って互いに溶着されることで接合される。なお、第１分割体１２ａが最も内燃機関１４側（矢印Ｃ１方向）に配置され、第２分割体１２ｂ、第３分割体１２ｃ、第４分割体１２ｄの順番で前記内燃機関１４から順に離間する方向に配置される。
【００２０】
この吸気マニホールド１０は、幅方向（矢印Ａ、Ｂ方向）に沿った一端部に開口しスロットルバルブ１６からの吸入空気が供給される吸気導入管（吸気導入部）１８と、前記吸気導入管１８からの吸入空気が導入される吸気チャンバ（チャンバ部）２０と、前記吸気チャンバ２０内の吸入空気を内燃機関１４の各ポートへと分配する第１〜第４分岐管２２ａ〜２２ｄと、前記吸気チャンバ２０と連通するレゾネータ（レゾナンスチャンバ部）２４（図２参照）とを含む。
【００２１】
吸気導入管１８は、第２分割体１２ｂと第３分割体１２ｃとから構成され、吸気マニホールド１０の一端部から中央部まで幅方向に沿って延在した後に略直交するように上方（矢印Ｄ方向）に向けて延在した略Ｌ字状に形成される。この吸気導入管１８の上流側となる一端部には、幅方向と略直交したフランジ部２６が形成され、吸気マニホールド１０への吸入空気の供給量を調整するためのスロットルバルブ（吸気弁）１６が連結される。また、吸気導入管１８の下流側となる他端部は、上方（矢印Ｄ方向）へと延在し吸気チャンバ２０の幅方向中央部へと接続され連通している。
【００２２】
また、吸気導入管１８の略中央部は、図２及び図３に示されるように、幅方向に沿って水平に延在する一端部側と鉛直方向に延在する他端部側とを接合する屈曲部２８を有し、この屈曲部２８は所定半径からなる断面円弧状に形成されている。
【００２３】
この屈曲部２８には、その重力方向下方となる底面５０から下方（矢印Ｅ方向）へと突出した凸部３０が形成され、この凸部３０は下方に底部を有した断面Ｕ字状の袋状に形成されると共に、該底部と略直交する側壁３２（図３参照）には内燃機関１４からブローバイガスの供給されるガス導入口３４が開口している。なお、凸部３０は、吸気マニホールド１０を構成する第２分割体１２ｂに形成されている。また、上述した重力方向（矢印Ｄ、Ｅ方向）は、内燃機関１４の搭載される車両の上下方向と略同一方向となる。
【００２４】
この凸部３０に開口したガス導入口３４には、図３に示されるように、内部に通路を有した管状のガス導入管３６が接続され、吸気マニホールド１０の幅方向と直交する奥行方向（矢印Ｃ方向）に沿って内燃機関１４から離間する方向（矢印Ｃ２方向）へと一直線状に延在している。このガス導入管３６は、第２分割体１２ｂの凸部３０に臨むように第３分割体１２ｃに形成されている。
【００２５】
また、ガス導入管３６には、図１及び図３に示されるように、第３分割体１２ｃ側（矢印Ｃ２方向）となる端部にチューブ３８が接続され、このチューブ３８は、該端部から奥行方向に所定長さだけ延在した後、重力方向下方（矢印Ｅ方向）に向かって折曲されて延在し内燃機関１４のクランクケース（図示せず）に接続されている。
【００２６】
そして、内燃機関１４のシリンダ室からクランクケースへと漏出したブローバイガスがチューブ３８を通じて取り出され、ガス導入管３６及びガス導入口３４を通じて吸気導入管１８の内部へと供給される。
【００２７】
さらに、図２に示されるように、凸部３０に開口したガス導入口３４からスロットルバルブ１６までの直線距離Ｌ１は、前記ガス導入口３４から吸気導入管１８の他端部と吸気チャンバ２０との接続部位までの直線距離Ｌ２に対して長くなるように設定される（Ｌ１＞Ｌ２）。
【００２８】
吸気チャンバ２０は、第１分割体１２ａと第２分割体１２ｂの一部とから構成され、吸気マニホールド１０における上部に形成され幅方向（矢印Ａ、Ｂ方向）に沿って延在した箱状に形成される。また、吸気チャンバ２０の内部には所定容積の空間を有したチャンバ室４０を備えると共に、幅方向中央に吸気導入管１８の他端部が接続されている。
【００２９】
レゾネータ２４は、図２に示されるように、内燃機関１４の駆動作用下に生じる特定の周波数域で共振し、内燃機関１４の出力向上（例えば、トルク増加）等を目的として設けられる。このレゾネータ２４は、幅方向に沿った他端部側（矢印Ｂ方向）に設けられ、その内部に共鳴室４２を有し吸気導入管１８の屈曲部２８に対して該幅方向に隣接するように設けられる。
【００３０】
共鳴室４２は、上方へ延在する共鳴用通路（開口部）４４を介して吸気チャンバ２０と連通すると共に、その底部４６が幅方向他端部側から中央部側（矢印Ａ方向）に向かって徐々に重力方向下方（矢印Ｅ方向）へと延在する断面湾曲状に形成されている。そして、共鳴室４２には、幅方向中央側（矢印Ａ方向）で最も重力方向下方（矢印Ｅ方向）となる位置に連通路４８が接続され開口している。
【００３１】
連通路４８は、共鳴室４２の底部４６から幅方向中央側に向かって下方（矢印Ｅ方向）へと傾斜するように延在し、その端部が吸気導入管１８における屈曲部２８へと接続され連通している。換言すれば、連通路４８は、レゾネータ２４における共鳴室４２の底部４６と吸気導入管１８の底面５０とを連通させ、凸部３０に臨む位置に接続されている。
【００３２】
第１〜第４分岐管２２ａ〜２２ｄは、図３に示されるように、その上流端部が吸気チャンバ２０における内燃機関１４とは反対側（矢印Ｃ２方向）となる前面に接続しており、前記内燃機関１４から離間する方向（矢印Ｃ２方向）に向けて略円弧状に屈曲した後、下流端部が締結フランジ５２を介して内燃機関１４のシリンダヘッドに締結されている。
【００３３】
この第１及び第２分岐管２２ａ、２２ｂは、図２に示されるように、吸気導入管１８の外周側に巻き付くように形成され、一方、第３及び第４分岐管２２ｃ、２２ｄは、吸気導入管１８と吸気チャンバ２０とによって囲まれた空間であるレゾネータ２４を構成する。
【００３４】
そして、第１〜第４分岐管２２ａ〜２２ｄは、第２〜第４分割体１２ｂ〜１２ｄによって構成され、その上流側端部及び下流側端部がそれぞれ第２分割体１２ｂに形成されている。
【００３５】
本発明の実施の形態に係る吸気マニホールド１０は、基本的には以上のように構成されるものであり、次にその動作並びに作用効果について説明する。
【００３６】
先ず、内燃機関１４における各シリンダ室の吸気作用に伴ってスロットルバルブ１６で調整された流量で吸入空気が吸気導入管１８へと供給され、その一端部から屈曲部２８を経て下流側端部から吸気チャンバ２０へと吸入空気が流通する。この吸気チャンバ２０のチャンバ室４０において吸入空気が第１〜第４分岐管２２ａ〜２２ｄへとそれぞれ分配され、この第１〜第４分岐管２２ａ〜２２ｄに沿ってそれぞれ下流端部へと流れた吸入空気が、内燃機関１４のシリンダヘッドを通じて各シリンダ内へと順次供給される。
【００３７】
また、 吸気チャンバ２０のチャンバ室４０に導入された吸入空気は、その一部が共鳴用通路４４を介してレゾネータ２４の共鳴室４２に流入して貯えられる。そして、内燃機関１４の駆動作用下に生じる圧力振動に起因し、特定の周波数域でレゾネータ２４が共振すると、前記レゾネータ２４内の吸入空気が共鳴用通路４４を通じて前記吸気チャンバ２０へと供給される。このようにして、吸気チャンバ２０内に供給された吸入空気は、第１〜第４分岐管２２ａ〜２２ｄに分配され内燃機関１４へと供給されることとなる。
【００３８】
一方、内燃機関１４のシリンダ室からクランクケースへと漏出したブローバイガスがチューブ３８からガス導入管３６及びガス導入口３４を通じて吸気導入管１８へと供給され、この吸気導入管１８を流れる吸入空気と共に内燃機関１４の内部へと供給されることで再びシリンダ室において燃焼される。
【００３９】
上述したブローバイガスは燃焼生成物である水分等を含んでおり、この水分が吸気マニホールド１０における吸気チャンバ２０の内壁に付着した後、冷却されることによって凝縮水となって吸気チャンバ２０及びレゾネータ２４の底部４６に溜まることとなる。この吸気チャンバ２０に溜まった凝縮水は、流入する吸入空気によって次第に蒸発し水蒸気となって第１〜第４分岐管２２ａ〜２２ｄから内燃機関１４へと流入する。
【００４０】
一方、レゾネータ２４の共鳴室４２に溜まった凝縮水は、重力方向下方（矢印Ｅ方向）に向かって傾斜した底部４６に沿って幅方向中央側へと流れた後に、連通路４８を通じて吸気導入管１８の屈曲部２８側へと流れて下方へと窪んだ凸部３０内へと導かれる。
【００４１】
そして、凸部３０内に溜まった凝縮水は、ガス導入口３４を通じてブローバイガスが吸気マニホールド１０内に供給されている場合には、前記ブローバイガスの流れによって吸気導入管１８内へと移動し、吸入空気によって撹拌されて吸気チャンバ２０から第１〜第４分岐管２２ａ〜２２ｄを通じて内燃機関１４へと導入され各シリンダ室（図示せず）にて再び燃焼される。
【００４２】
また、ガス導入口３４を通じたブローバイガスの吸気マニホールド１０への還流が停止している場合には、凸部３０内の凝縮水がガス導入口３４、ガス導入管３６及びチューブ３８を通じて内燃機関１４のクランクケース内へと排出される。すなわち、ブローバイガスの還流時とは逆方向に凝縮水を流通させることで吸気マニホールド１０から内燃機関１４側へと排出している。
【００４３】
これにより、吸気マニホールド１０においてレゾネータ２４の共鳴室４２に凝縮水が溜まってしまい、この凝縮水によって容積が変化してしまうことが回避され、容積変化に起因した吸気マニホールド１０の性能低下が確実に防止される。
【００４４】
以上のように、本実施の形態では、吸気マニホールド１０を構成する吸気導入管１８が、幅方向に沿った略中央部に吸気チャンバ２０側へ向かって上方へと屈曲した屈曲部２８を有し、この屈曲部２８の底面５０から重力方向下方（矢印Ｅ方向）へ突出した凸部３０を設けると共に、その内部にブローバイガスの供給されるガス導入口３４を形成している。また、吸気導入管１８の屈曲部２８と隣接したレゾネータ２４の共鳴室４２は、その幅方向中央に向かって重力方向下方（矢印Ｅ方向）となるように底部４６が傾斜し、その下端となる部位に連通路４８が開口して前記屈曲部２８の底面５０と連通している。
【００４５】
これにより、ブローバイガスに含まれる水分が冷却され凝縮水となりレゾネータ２４の共鳴室４２に流入した場合でも、前記凝縮水が重力作用下に下方となる底部４６へと移動し、この底部４６に沿って移動することで好適に連通路４８へと導かれ吸気導入管１８側へと排出されると共に、吸気導入管１８の屈曲部２８において下方へと突出した凸部３０内へと凝縮水を導くことで、凸部３０に開口したガス導入口３４、ガス導入管３６及びチューブ３８を通じて吸気マニホールド１０から内燃機関１４側へと前記凝縮水を確実に排出することができる。
【００４６】
その結果、共鳴室４２内に凝縮水が溜まることによるレゾネータ２４の容積変化が防止され、この容積変化に起因した吸気マニホールド１０の性能変化を確実に防止することができる。
【００４７】
また、吸気導入管１８の屈曲部２８に対して下方へと突出した凸部３０を設けることで、吸気マニホールド１０内に導入されたブローバイガスに含まれる水分が凝縮水となり吸気導入管１８の内壁面に付着し重力作用下に下方へと移動した場合でも、屈曲部２８に対して重力方向下方（矢印Ｅ方向）へと突出した凸部３０内に移動して溜まることとなる。そのため、凝縮水が吸気導入管１８の底面５０に溜まり続けることが防止され、前記吸気導入管１８へと導入された吸入空気が一端部側（矢印Ａ方向）へと逆流する反転流の影響によって凝縮水がスロットルバルブ１６側へと移動して付着してしまうことが抑制される。
【００４８】
さらに、吸気導入管１８において凸部３０が屈曲部２８に形成されるため、例えば、ブローバイガスが内燃機関１４から吸気マニホールド１０側へと供給され、ガス導入管３６及びチューブ３８を通じた凝縮水の内燃機関１４側への排出ができない場合でも、凸部３０に溜まった凝縮水を前記屈曲部２８に沿って流れる吸入空気によって上方へと攪拌させ蒸発させることが可能となる。そのため、蒸発させた凝縮水を吸入空気と共に吸気マニホールド１０から内燃機関１４へと供給して燃焼させることができる。
【００４９】
さらにまた、ブローバイガスの導入されるガス導入管３６が、吸気導入管１８に対して重力方向下方（矢印Ｅ方向）へと突出した凸部３０に接続され連通しているため、吸気チャンバ２０に対する距離を十分に確保することが可能となり、それに伴って、凸部３０に溜まった凝縮水及び該凸部３０から供給されるブローバイガスを前記吸気チャンバ２０までの間で吸入空気の流れによって好適に撹拌させることが可能となり、前記吸気チャンバ２０から複数の第１〜第４分岐管２２ａ〜２２ｄへと均等に流すことができる。
【００５０】
その結果、第１〜第４分岐管２２ａ〜２２ｄの下流側に設けられ、シリンダ室へ吸入空気を導入するインテークバルブに対するオイル等の燃焼生成物の付着が防止され、この付着に起因したデポジットの堆積や燃焼不良を防止することが可能となる。
【００５１】
またさらに、ガス導入管３６を、吸気マニホールド１０における吸気導入管１８の重力方向下端に配置することで、前記吸気導入管１８の底面５０に溜まった凝縮水を前記ガス導入管３６及びチューブ３８を通じて内燃機関１４のクランクケース側へと確実に戻すことができるため、吸気マニホールド１０内における凝縮水の溜まりが抑制され、前記吸気導入管１８において吸入空気の反転流が生じた場合でもスロットルバルブ１６に対する凝縮水の付着をより好適に低減することが可能となる。
【００５２】
また、レゾネータ２４における共鳴室４２の底部４６は、幅方向に沿った他端部側（矢印Ｂ方向）に対して中央部側（矢印Ａ方向）が重力方向下方（矢印Ｅ方向）となるように傾斜して形成され、この下方となる中央部側に連通路４８を開口させている。そのため、共鳴室４２に付着した凝縮水を底部４６に沿って移動させ効率的に連通路４８へと導くことで吸気導入管１８の凸部３０へと排出できると共に、前記凸部３０にはガス導入口３４を介してガス導入管３６が接続されているため、前記凝縮水を吸気導入管１８の底面５０に溜まらせることなく内燃機関１４側へと確実に排出することができる。
【００５３】
さらに、吸気導入管１８に設けられた凸部３０からスロットルバルブ１６までの直線距離Ｌ１を、前記吸気導入管１８と吸気チャンバ２０との接続部位となる下流端から前記凸部３０までの直線距離Ｌ２に対して長く設定することにより、前記凸部３０に設けられたガス導入口３４（ガス導入管３６）を吸気チャンバ２０から十分に離間させ凝縮水を拡散できる距離を稼ぐ一方で、前記スロットルバルブ１６からの距離も十分に確保されているため、反転流によって凝縮水が前記スロットルバルブ１６に付着することが防止され、この付着に起因したスロットルバルブ１６の動作不良等を確実に防止することができる。
【００５４】
なお、本発明に係る吸気マニホールドは、上述の実施の形態に限らず、本発明の要旨を逸脱することなく、種々の構成を採り得ることはもちろんである。
【符号の説明】
【００５５】
１０…吸気マニホールド              １４…内燃機関
１８…吸気導入管                    ２０…吸気チャンバ
２２ａ〜２２ｄ…第１〜第４分岐管    ２４…レゾネータ
２８…屈曲部                        ３０…凸部
３４…ガス導入口                    ３６…ガス導入管
４２…共鳴室                        ４８…連通路
【図１】
2019105220.tif 000003
【図２】
2019105220.tif 000004
【図３】
2019105220.tif 000005